【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
設置面に載置される脚部を有する物品載置台と、該物品載置台に着脱可能に取り付けられる複数の支柱と、前記物品載置台に取り付けられた複数の支柱の上部に着脱可能に取り付けられる上蓋と、該上蓋を複数の支柱の上部に取り付けたとき、該上蓋が支柱から外れないように、当該上蓋を各支柱に対してロックするロック手段とを具備し、該ロック手段は、各支柱に形成されたロック穴と、先端部が前記ロック穴に係脱するように前記上蓋に摺動可能に支持された基部及び該基部を操作するためのつまみ部を備えたロック部材とから構成され、前記上蓋は、該上蓋の上に他の物品運搬保管装置を載せたとき、該物品運搬保管装置の脚部が載置される部分と、その部分よりも上蓋の中央部寄りの平坦な部分と、その平坦な部分よりも高さの高くなった中央部とを有し、前記ロック部材のつまみ部は、前記平坦な部分の外部に露出して位置している物品運搬保管装置。
【請求項２】
物品載置台と、該物品載置台に着脱可能に取り付けられる複数の支柱と、前記物品載置台に取り付けられた複数の支柱の上部に着脱可能に取り付けられる上蓋と、該上蓋を複数の支柱の上部に取り付けたとき、該上蓋が支柱から外れないように、当該上蓋を各支柱に対してロックするロック手段とを具備し、該ロック手段は、各支柱に形成されたロック穴と、先端部が前記ロック穴に係脱するように前記上蓋に摺動可能に支持された基部及び該基部を操作するためのつまみ部を備えたロック部材とから構成され、前記上蓋は、前記ロック部材のつまみ部が外部に露出して位置している平坦な部分と、該平坦な部分よりも高さの高くなった中央部と、当該上蓋の縁部において下方に垂下したフランジ部と、該フランジ部に対向して位置する位置決め部とを有し、前記支柱の上部に前記上蓋を取り付けたとき、各支柱の上部が前記フランジ部と位置決め部とに挟まれ、かつ各支柱の上端面が、前記上蓋の裏面に当接して、各支柱と上蓋とが位置決めされる物品運搬保管装置。
【請求項３】
前記ロック部材の基部の先端部が前記ロック穴に嵌合する向きに該基部を付勢するばねが当該ロック部材自体に形成されている請求項１又は２に記載の物品運搬保管装置。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明の目的は、物品載置台に取り付けられた複数の支柱の上部に着脱可能に取り付けられる上蓋を有し、その上蓋を複数の支柱の上部に取り付けたとき、該上蓋が支柱から外れないようにした物品運搬保管装置を提供することにある。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本発明は、上記目的を達成するため、設置面に載置される脚部を有する物品載置台と、該物品載置台に着脱可能に取り付けられる複数の支柱と、前記物品載置台に取り付けられた複数の支柱の上部に着脱可能に取り付けられる上蓋と、該上蓋を複数の支柱の上部に取り付けたとき、該上蓋が支柱から外れないように、当該上蓋を各支柱に対してロックするロック手段とを具備し、該ロック手段は、各支柱に形成されたロック穴と、先端部が前記ロック穴に係脱するように前記上蓋に摺動可能に支持された基部及び該基部を操作するためのつまみ部を備えたロック部材とから構成され、前記上蓋は、該上蓋の上に他の物品運搬保管装置を載せたとき、該物品運搬保管装置の脚部が載置される部分と、その部分よりも上蓋の中央部寄りの平坦な部分と、その平坦な部分よりも高さの高くなった中央部とを有し、前記ロック部材のつまみ部は、前記平坦な部分の外部に露出して位置している物品運搬保管装置を提案する（請求項１）。
【手続補正１０】
【補正対象書類名】明細書
【補正対象項目名】００１２
【補正方法】変更
【補正の内容】
【００１２】
同じく、本発明は、上記目的を達成するため、物品載置台と、該物品載置台に着脱可能に取り付けられる複数の支柱と、前記物品載置台に取り付けられた複数の支柱の上部に着脱可能に取り付けられる上蓋と、該上蓋を複数の支柱の上部に取り付けたとき、該上蓋が支柱から外れないように、当該上蓋を各支柱に対してロックするロック手段とを具備し、該ロック手段は、各支柱に形成されたロック穴と、先端部が前記ロック穴に係脱するように前記上蓋に摺動可能に支持された基部及び該基部を操作するためのつまみ部を備えたロック部材とから構成され、前記上蓋は、前記ロック部材のつまみ部が外部に露出して位置している平坦な部分と、該平坦な部分よりも高さの高くなった中央部と、当該上蓋の縁部において下方に垂下したフランジ部と、該フランジ部に対向して位置する位置決め部とを有し、前記支柱の上部に前記上蓋を取り付けたとき、各支柱の上部が前記フランジ部と位置決め部とに挟まれ、かつ各支柱の上端面が、前記上蓋の裏面に当接して、各支柱と上蓋とが位置決めされる物品運搬保管装置を提案する（請求項２）。
【手続補正１１】
【補正対象書類名】明細書
【補正対象項目名】００１３
【補正方法】変更
【補正の内容】
【００１３】
また、上記請求項１又は２に記載の物品運搬保管装置において、前記ロック部材の基部の先端部が前記ロック穴に嵌合する向きに該基部を付勢するばねが当該ロック部材自体に形成されていると有利である（請求項３）。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】変更
【補正の内容】
【００３３】
本発明によれば、上蓋を複数の支柱の上部の取り付けたとき、その上蓋が支柱から外れないように、該上蓋を支柱に対してロックすることができる。
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】
【手続補正３７】
【補正対象書類名】明細書
【補正対象項目名】００３９
【補正方法】削除
【補正の内容】
【手続補正３８】
【補正対象書類名】明細書
【補正対象項目名】００４０
【補正方法】削除
【補正の内容】
【手続補正３９】
【補正対象書類名】明細書
【補正対象項目名】００４１
【補正方法】削除
【補正の内容】
【手続補正４０】
【補正対象書類名】明細書
【補正対象項目名】００４２
【補正方法】削除
【補正の内容】
【手続補正４１】
【補正対象書類名】明細書
【補正対象項目名】００４３
【補正方法】削除
【補正の内容】
【手続補正４２】
【補正対象書類名】明細書
【補正対象項目名】００４４
【補正方法】削除
【補正の内容】
【手続補正４３】
【補正対象書類名】明細書
【補正対象項目名】００４５
【補正方法】削除
【補正の内容】
【手続補正４４】
【補正対象書類名】明細書
【補正対象項目名】００４６
【補正方法】削除
【補正の内容】
【手続補正４５】
【補正対象書類名】明細書
【補正対象項目名】００４７
【補正方法】削除
【補正の内容】
【手続補正４６】
【補正対象書類名】明細書
【補正対象項目名】００４８
【補正方法】削除
【補正の内容】
【手続補正４７】
【補正対象書類名】明細書
【補正対象項目名】００４９
【補正方法】削除
【補正の内容】
【手続補正４８】
【補正対象書類名】明細書
【補正対象項目名】００５０
【補正方法】削除
【補正の内容】
【手続補正４９】
【補正対象書類名】明細書
【補正対象項目名】００５１
【補正方法】削除
【補正の内容】
【手続補正５０】
【補正対象書類名】明細書
【補正対象項目名】００５２
【補正方法】削除
【補正の内容】
【手続補正５１】
【補正対象書類名】明細書
【補正対象項目名】００５３
【補正方法】削除
【補正の内容】
【手続補正５２】
【補正対象書類名】明細書
【補正対象項目名】００５４
【補正方法】削除
【補正の内容】
【手続補正５３】
【補正対象書類名】明細書
【補正対象項目名】０１０１
【補正方法】変更
【補正の内容】
【０１０１】
ところで、本例の物品運搬保管装置１は、先に説明したように、物品載置台３に取り付けられた複数の支柱４の上部に着脱可能に取り付けられる上蓋５を有しており、この上蓋５は図３に示したように、支柱４の上部に取り付けられる。その際、図３及び図２５に示すように、上蓋５の縁部には、下方に垂下するフランジ部２８が設けられ、しかも上蓋５の裏面の四隅の部分には、図１８に示すように、フランジ部２８に対向して位置する２つの位置決め突部２９より成る位置決め部が形成されている（図２１も参照）。これにより、上蓋５を支柱４の上部に取り付けたとき、各支柱４の上部が、図１９に示すように、各位置決め突部２９の先端面３０とフランジ部２８との間にがたつくことなく嵌合する。各支柱４の上部が、フランジ部２８と位置決め部とに挟まれ、各支柱４の上端面が上蓋５の裏面に当接して、各支柱４と上蓋５とが位置決めされるのである。このように、上蓋５には、その上蓋５を複数の支柱４の上部に取り付けたとき、各支柱４の上部を挟んで当該支柱４と上蓋５とを位置決めする上蓋位置決め手段が設けられている。図示した例では、フランジ部２８と位置決め突部２９が上蓋位置決め手段を構成しているが、他の適宜な構成の上蓋位置決め手段を採用することもできる。
【手続補正５４】
【補正対象書類名】明細書
【補正対象項目名】０１１１
【補正方法】変更
【補正の内容】
【０１１１】
上述のように、本例の物品運搬保管装置１のロック手段は、支柱４に形成されたロック穴４５と、先端部３８がロック穴４５に係脱するように上蓋５に摺動可能に支持された基部３２及び該基部３２を操作するためのつまみ部３５を備えたロック部材３１とから構成され、しかもそのロック部材３１の基部３２の先端部３８がロック穴４５に嵌合する向きに該基部３２を付勢するばね３６がロック部材自体に形成されている。このようにばね３６をロック部材自体に形成することにより、ロック手段を構成する部品点数を減少でき、そのコストを低減できる利点が得られる。
【手続補正５５】
【補正対象書類名】明細書
【補正対象項目名】０１１５
【補正方法】変更
【補正の内容】
【０１１５】
ところで、図３に示したように支柱４の上部に上蓋５を取り付けた状態で、その上蓋５の上に、別の物品運搬保管装置を載せ、物品運搬保管装置を上下に複数段積み重ねた状態にして、その各物品運搬保管装置に搭載した物品を運搬し又はこれを保管することもできる。その際、上蓋５の周辺の２辺の部分５Ａ，５Ａと、他の２辺の部分５Ｂ，５Ｂが平坦面となっていて、その平坦な部分５Ａ，５Ｂ以外の上蓋５の中央部は、その平坦な部分５Ａ，５Ｂよりも上方に突出している。このような上蓋５の上に他の物品運搬保管装置の物品載置台を載せるとき、その各脚部６，６を上蓋５の平坦な部分５Ａ，５Ａの上に載置し、両脚部６，６の間の載置板７の部分から下方に垂下した補助脚部６Ａ，６Ａを上蓋５の平坦な部分５Ｂ，５Ｂに載置する。これにより、上側の物品運搬保管装置を下側の物品運搬保管装置に対して正しく位置決めて上下に重ね合せることができる。
上述のように、上蓋５は、該上蓋５の上に他の物品運搬保管装置を載せたとき、該物品運搬保管装置の脚部６が載置される部分５Ａ，５Ｂを有しているが、さらにその部分５Ａ，５Ｂよりも上蓋５の中央部寄りの平坦な部分と、その平坦な部分よりも高さの高くなった中央部とを有していて、前述のロック部材３１のつまみ部３５は、上記平坦な部分の外部に露出して位置している。
【手続補正５６】
【補正対象書類名】明細書
【補正対象項目名】０１２８
【補正方法】変更
【補正の内容】
【０１２８】
１  物品運搬保管装置
２  物品
３  物品載置台
４  支柱
４Ａ  支柱
４Ｂ  支柱
４Ｃ  支柱
４Ｄ  支柱
５  上蓋
５Ａ  部分
６  脚部
２８  フランジ部
３１  ロック部材
３２  基部
３５  つまみ部
３６  ばね
３８  先端部
４５  ロック穴